【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
１つ以上の直方体状のマグネットを含む第１の磁極部と、
複数の直方体状のマグネットを含み、前記第１の磁極部の有する直線部との間に磁気ギャップを形成して前記第１の磁極部の上面および下面方向の空間を除いた空間に配置される第２の磁極部と、
前記第１の磁極部の一方の磁極面と前記第２の磁極部の一方の磁極面とを磁気的に結合して支持するヨークと、
前記第１の磁極部における上面方向の空間および前記第２の磁極部における下面方向の空間内に配置されており、かつ、矩形、楕円形、多角形、および矩形または多角形の対向する２辺のみが半円で形成される形状からなる群から選ばれる何れか１つの形状で形成されており、前記ヨークにその外周が支持された上下方向に振動可能な振動板と、
少なくともその一部に直線部を有し、当該直線部の少なくとも一部が前記磁気ギャップ内に配置されるように前記振動板に固着されるボイスコイルとを備え、
前記ボイスコイルは、その内周形状が前記第１の磁極部の外周形状より大きく、
前記第２の磁極部は、前記第１の磁極部および前記ボイスコイルの上面および下面方向の空間を除いた空間に配置され、
前記第１の磁極部に含まれるマグネットは前記振動板の振動方向に着磁され、
前記第２の磁極部に含まれるマグネットは前記振動板の振動方向に対して垂直な方向に着磁され、
前記第１の磁極部および前記第２の磁極部は、前記ボイスコイルの内部に前記振動板の振動方向に対して略垂直方向の磁束を生成し、
前記振動板は、当該振動板を振動可能にするエッジ部を含み、前記エッジ部の少なくとも一部が前記第２の磁極部の下面と対向することを特徴とする、動電型電気音響変換器。
【請求項２】
前記振動板の振動方向において、前記第２の磁極部の下面が前記第１の磁極部の上面より上方に位置することを特徴とする、請求項１に記載の動電型電気音響変換器。
【請求項３】
前記振動板の振動方向において、前記第２の磁極部の下面が前記第１の磁極部の上面より下方、もしくは前記第１の磁極部の上面と同一平面上に位置することを特徴とする、請求項１に記載の動電型電気音響変換器。
【請求項４】
前記第１の磁極部は、前記ボイスコイルの直線部それぞれに平行な辺を有し、かつ前記直方体状のマグネットをそれぞれに含む２つの直方体を含むことを特徴とする、請求項１に記載の動電型電気音響変換器。
【請求項５】
前記振動板は、前記第１の磁極部の上面と対向する部位の形状が他の部位に対して相対的に凸形状で形成されることを特徴とする、請求項１に記載の動電型電気音響変換器。
【請求項６】
前記ボイスコイルは、前記振動板の上面側または下面側のいずれかに固着され、
前記振動板は、前記第１の磁極部の上面と対向する部位が前記ボイスコイルの下端より上方にあり、前記第２の磁極部の下面と対向する部位が前記ボイスコイルの上端より下方にある形状で形成されることを特徴とする、請求項１に記載の動電型電気音響変換器。
【請求項７】
前記第２の磁極部と対向する部分を少なくとも含む前記ヨークの一部に開口部が形成されていることを特徴とする、請求項１に記載の動電型電気音響変換器。
【請求項８】
前記ボイスコイルより外側の前記振動板は、前記開口部と対向する部分においては当該開口部側に突出して形成され、その他の部分においては逆側に突出して形成されることを特徴とする、請求項７に記載の動電型電気音響変換器。
【請求項９】
動電型電気音響変換器が搭載された電子機器であって、
前記動電型電気音響変換器は、
１つ以上の直方体状のマグネットを含む第１の磁極部と、
複数の直方体状のマグネットを含み、前記第１の磁極部の有する直線部との間に磁気ギャップを形成して前記第１の磁極部の上面および下面方向の空間を除いた空間に配置される第２の磁極部と、
前記第１の磁極部の一方の磁極面と前記第２の磁極部の一方の磁極面とを磁気的に結合して支持するヨークと、
前記第１の磁極部における上面方向の空間および前記第２の磁極部における下面方向の空間内に配置されており、かつ、矩形、楕円形、多角形、および矩形または多角形の対向する２辺のみが半円で形成される形状からなる群から選ばれる何れか１つの形状で形成されており、前記ヨークにその外周が支持された上下方向に振動可能な振動板と、
少なくともその一部に直線部を有し、当該直線部の少なくとも一部が前記磁気ギャップ内に配置されるように前記振動板に固着されるボイスコイルとを備え、
前記ボイスコイルは、その内周形状が前記第１の磁極部の外周形状より大きく、
前記第２の磁極部は、前記第１の磁極部および前記ボイスコイルの上面および下面方向の空間を除いた空間に配置され、
前記第１の磁極部に含まれるマグネットは前記振動板の振動方向に着磁され、
前記第２の磁極部に含まれるマグネットは前記振動板の振動方向に対して垂直な方向に着磁され、
前記第１の磁極部および前記第２の磁極部は、前記ボイスコイルの内部に前記振動板の振動方向に対して略垂直方向の磁束を生成し、
前記振動板は、当該振動板を振動可能にするエッジ部を含み、前記エッジ部の少なくとも一部が前記第２の磁極部の下面と対向することを特徴とする、電子機器。
【手続補正２】
【補正対象書類名】明細書
【補正対象項目名】００２４
【補正方法】変更
【補正の内容】
【００２４】
第１の発明は、動電型電気音響変換器であって、１つ以上の直方体状のマグネットを含む第１の磁極部と、複数の直方体状のマグネットを含み、第１の磁極部の有する直線部との間に磁気ギャップを形成して第１の磁極部の上面および下面方向の空間を除いた空間に配置される第２の磁極部と、第１の磁極部の一方の磁極面と第２の磁極部の一方の磁極面とを磁気的に結合して支持するヨークと、第１の磁極部における上面方向の空間および第２の磁極部における下面方向の空間内に配置されており、かつ、矩形、楕円形、多角形、および矩形または多角形の対向する２辺のみが半円で形成される形状からなる群から選ばれる何れか１つの形状で形成されており、ヨークにその外周が支持された上下方向に振動可能な振動板と、少なくともその一部に直線部を有し、当該直線部の少なくとも一部が磁気ギャップ内に配置されるように振動板に固着されるボイスコイルとを備え、ボイスコイルは、その内周形状が第１の磁極部の外周形状より大きく、第２の磁極部は、第１の磁極部およびボイスコイルの上面および下面方向の空間を除いた空間に配置され、第１の磁極部に含まれるマグネットは振動板の振動方向に着磁され、第２の磁極部に含まれるマグネットは振動板の振動方向に対して垂直な方向に着磁され、第１の磁極部および第２の磁極部は、ボイスコイルの内部に振動板の振動方向に対して略垂直方向の磁束を生成し、振動板は、当該振動板を振動可能にするエッジ部を含み、エッジ部の少なくとも一部が第２の磁極部の下面と対向することを特徴とする。
【手続補正３】
【補正対象書類名】明細書
【補正対象項目名】００２５
【補正方法】変更
【補正の内容】
【００２５】
第２の発明は、上記第１の発明において、振動板の振動方向において、第２の磁極部の下面が第１の磁極部の上面より上方に位置することを特徴とする。
【手続補正４】
【補正対象書類名】明細書
【補正対象項目名】００２６
【補正方法】変更
【補正の内容】
【００２６】
第３の発明は、上記第１の発明において、振動板の振動方向において、第２の磁極部の下面が第１の磁極部の上面より下方、もしくは第１の磁極部の上面と同一平面上に位置することを特徴とする。
【手続補正５】
【補正対象書類名】明細書
【補正対象項目名】００２７
【補正方法】変更
【補正の内容】
【００２７】
第４の発明は、上記第１の発明において、第１の磁極部は、ボイスコイルの直線部それぞれに平行な辺を有し、かつ直方体状のマグネットをそれぞれに含む２つの直方体を含むことを特徴とする。
【手続補正６】
【補正対象書類名】明細書
【補正対象項目名】００２８
【補正方法】変更
【補正の内容】
【００２８】
第５の発明は、上記第１の発明において、振動板は、第１の磁極部の上面と対向する部位の形状が他の部位に対して相対的に凸形状で形成されることを特徴とする。
【手続補正７】
【補正対象書類名】明細書
【補正対象項目名】００２９
【補正方法】変更
【補正の内容】
【００２９】
第６の発明は、上記第１の発明において、ボイスコイルは、振動板の上面側または下面側のいずれかに固着され、振動板は、第１の磁極部の上面と対向する部位がボイスコイルの下端より上方にあり、第２の磁極部の下面と対向する部位がボイスコイルの上端より下方にある形状で形成されることを特徴とする。
【手続補正８】
【補正対象書類名】明細書
【補正対象項目名】００３０
【補正方法】変更
【補正の内容】
【００３０】
第７の発明は、上記第１の発明において、第２の磁極部と対向する部分を少なくとも含むヨークの一部に開口部が形成されていることを特徴とする。
【手続補正９】
【補正対象書類名】明細書
【補正対象項目名】００３１
【補正方法】変更
【補正の内容】
【００３１】
第８の発明は、上記第７の発明において、ボイスコイルより外側の振動板は、開口部と対向する部分においては当該開口部側に突出して形成され、その他の部分においては逆側に突出して形成されることを特徴とする。
【手続補正１０】
【補正対象書類名】明細書
【補正対象項目名】００３２
【補正方法】変更
【補正の内容】
【００３２】
第９の発明は、動電型電気音響変換器が搭載された電子機器であって、前記動電型電気音響変換器は、１つ以上の直方体状のマグネットを含む第１の磁極部と、複数の直方体状のマグネットを含み、前記第１の磁極部の有する直線部との間に磁気ギャップを形成して前記第１の磁極部の上面および下面方向の空間を除いた空間に配置される第２の磁極部と、前記第１の磁極部の一方の磁極面と前記第２の磁極部の一方の磁極面とを磁気的に結合して支持するヨークと、前記第１の磁極部における上面方向の空間および前記第２の磁極部における下面方向の空間内に配置されており、かつ、矩形、楕円形、多角形、および矩形または多角形の対向する２辺のみが半円で形成される形状からなる群から選ばれる何れか１つの形状で形成されており、前記ヨークにその外周が支持された上下方向に振動可能な振動板と、少なくともその一部に直線部を有し、当該直線部の少なくとも一部が前記磁気ギャップ内に配置されるように前記振動板に固着されるボイスコイルとを備え、前記ボイスコイルは、その内周形状が前記第１の磁極部の外周形状より大きく、前記第２の磁極部は、前記第１の磁極部および前記ボイスコイルの上面および下面方向の空間を除いた空間に配置され、前記第１の磁極部に含まれるマグネットは前記振動板の振動方向に着磁され、前記第２の磁極部に含まれるマグネットは前記振動板の振動方向に対して垂直な方向に着磁され、前記第１の磁極部および前記第２の磁極部は、前記ボイスコイルの内部に前記振動板の振動方向に対して略垂直方向の磁束を生成し、前記振動板は、当該振動板を振動可能にするエッジ部を含み、前記エッジ部の少なくとも一部が前記第２の磁極部の下面と対向することを特徴とする。
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】変更
【補正の内容】
【００３７】
上記第１の発明によれば、第１の磁極部および第２の磁極部が振動板の振動方向に重なり合わない構造であるため、同じ厚さの動電型電気音響変換器を実現する場合、第１の磁極部および第２の磁極部に含まれるマグネットを従来に比べ当該振動方向に厚く構成することができる。これにより、ボイスコイル位置における磁束密度が向上し、従来と同じ厚さでも高能率の動電型電気音響変換器が実現できる。さらに、一般的に小型薄型スピーカに使用されているネオジウムを原料としたマグネットは、高エネルギー積のマグネットになるほど高温減磁しやすくなるが、本構成によりマグネットが厚くなることで、パーミアンス係数が増加し高温減磁に強くなる。したがって、温度信頼性を向上、もしくは同じ温度信頼性を維持しながら、よりエネルギー積の高いマグネットを用いることも可能となる。このことにより、さらにボイスコイル位置における磁束密度を向上することができるため、より能率のよい小型、薄型の動電型電気音響変換器が実現できる。また、従来の温度信頼性を維持しながら、従来の磁気回路構造では不可能であった薄い動電型電気音響変換器が実現可能である。また、本発明は動電型の電気音変換器を採用し、従来の電磁誘導型電気音響変換器において磁気ギャップ中の磁束密度を低下させる原因となる駆動用１次コイルを用いないので、従来と同じ厚みでも能率の高い電気音響変換器を提供することができる。さらに本発明によれば、ボイスコイルが振動するにあたり、第１および第２の磁極部に接触しない構造となる。これにより、より大きな振幅余裕を確保しながら、より小型、薄型の動電型電気音響変換器が実現できる。さらに本発明によれば、第１の磁極部に含まれるマグネットと第２の磁極部に含まれるマグネットとの着磁方向が異なることにより、より効率的にボイスコイルの位置に磁束を発生させることができる。また、第２の磁極部に含まれるマグネットが振動板の振動方向に対して垂直な方向に着磁されることにより、ヨークを第２の磁極部に含まれるマグネットの上部に固設する必要がなくなるため、ヨークの厚みの分だけ更なる薄型化が可能になる。
【手続補正１６】
【補正対象書類名】明細書
【補正対象項目名】００３８
【補正方法】変更
【補正の内容】
【００３８】
上記第４の発明によれば、２つの直方体の間に形成される空間によって、振動板の下面の音が下方向に抜けやすくなる。
【手続補正１７】
【補正対象書類名】明細書
【補正対象項目名】００３９
【補正方法】変更
【補正の内容】
【００３９】
上記第５および第６の発明によれば、振動板と第１の磁極部および第２の磁極部とが振動によって最も接触しにくい形状となる。したがって、振動板が第１の磁極部の方向に変位して当該第１の磁極部の上面と当接する第１の振幅と、振動板が第２の磁極部の方向に変位して当該第２の磁極部の下面と当接する第２の振幅とを、大きく確保することができる。つまり、例えばヨークが第１の磁極部の下面および第２の磁極部の上面をそれぞれ支持する場合、各面を支持するヨークの肉厚と、第１の磁極部および第２の磁極部の振動方向の長さと、上記第１および第２の振幅とを足した値が、動電型電気音響変換器の全体の厚さよりも大きくなり、より能率のよい、薄型の動電型電気音響変換器が実現できる。
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】変更
【補正の内容】
【００４６】
上記第７の発明によれば、ヨークに形成された開口部により、振動板の下面の音が下方向に抜けやすくなる。また、薄型化した場合、振動板がヨークに接触しにくい構造になる。
【手続補正２５】
【補正対象書類名】明細書
【補正対象項目名】００４７
【補正方法】変更
【補正の内容】
【００４７】
上記第８の発明によれば、振動板とヨークがさらに接触しにくい構造になり、薄型化をさらに図ることができる。